(57)【要約】【課題】建物の壁面に設けられた矩形の窓枠とこの窓枠に回転軸を介して支持された障子とを備える回転窓において、採光性を向上させる。【解決手段】建物の壁面に設けられた矩形の窓枠２と、この窓枠２に回転軸２ａを介して支持された障子３と、を備える回転窓１において、前記回転軸２ａを中心に前記障子３を所望の角度だけ回動させるボールチェーン６、回動軸６ｂ、回動部７、連結板８等の回動手段を備え、前記障子３は、透光性を有する矩形の複層ガラス４と、この複層ガラス４の前記回転軸２ａに直交する両端部をそれぞれ保持する一対の保持材５ａと、を備えさせる。【選択図】図１
2006348693.tif 000002
【特許請求の範囲】
【請求項１】
建物の壁面に設けられた矩形の窓枠と、この窓枠に回転軸を介して支持された障子と、を備える回転窓において、
前記回転軸を中心に前記障子を所望の角度だけ回動させる回動手段を備え、
前記障子は、透光性を有する矩形のパネルと、このパネルの前記回転軸に直交する両端部のみをそれぞれ保持する一対の保持材と、を有することを特徴とする回転窓。
【請求項２】
前記パネルは、一対のガラスを離間させた状態で対向させた複層ガラスであることを特徴とする請求項１に記載の回転窓。
【請求項３】
前記複層ガラスの室内側のガラス及び屋外側のガラスは、前記回転軸と直交する方向にずらした状態で前記保持材に固定されており、
前記窓枠には、閉窓時において前記室内側のガラス及び屋外側のガラスの両端部にそれぞれ当接する気密材が設けられていることを特徴とする請求項２に記載の回転窓。
【請求項４】
前記回転軸は前記窓枠の中心から偏心して設けられ、
前記窓枠の室内側には開窓時において前記障子と接触しない位置に網戸が設けられていることを特徴とする請求項１〜３のいずれか一項に記載の回転窓。
【請求項５】
前記回動手段は、窓枠の縦枠に取り付けられた操作部と、
この操作部と前記障子とを連結し、かつ前記操作部を操作することにより、前記障子を前記回転軸を中心に回動させる連結回動手段と、を備えていることを特徴とする請求項１〜４のいずれか一項に記載の回転窓。
【請求項６】
請求項１〜５のいずれか一項に記載の回転窓の設置構造において、
前記回転窓は、前記壁面の高所及び低所にそれぞれ設けられていることを特徴とする回転窓の設置構造。
【発明の詳細な説明】
【技術分野】
【０００１】
本発明は、建物の壁面に設けられた矩形の窓枠とこの窓枠に回転軸を介して支持された障子とを備える回転窓、及び回転窓の設置構造に関する。
【背景技術】
【０００２】
回転窓の一例として、特許文献１に記載の技術が知られている。この回転窓は、窓枠と、この窓枠を構成する左右縦枠材に軸支した障子と、を備えており、障子を回転させて開閉させるものである。
【０００３】
ところで、この回転窓は、窓枠の開口部を大きくすることによって、充分な換気や採光を得ることができる一方で、障子を外されたりガラスを割られて泥棒に浸入される恐れがあるため、窓枠の開口部の幅を人頭よりも小さくして泥棒の侵入を防ぐ回転窓も知られている。
【特許文献１】特開平１０−１８７１６号公報
【発明の開示】
【発明が解決しようとする課題】
【０００４】
しかしながら、窓枠の開口部の幅を小さくすると、障子枠に固定された透光性を有するパネルの面積が小さくなり、充分な採光を得ることができないという問題があった。
【０００５】
本発明の課題は、建物の壁面に設けられた矩形の窓枠とこの窓枠に回転軸を介して支持された障子とを備える回転窓において、採光性を向上させることである。
【課題を解決するための手段】
【０００６】
以上の課題を解決するため、請求項１に記載の発明は、例えば図１に示すように、建物の壁面Ｗ（図３参照）に設けられた矩形の窓枠２と、この窓枠２に回転軸２ａを介して支持された障子３と、を備える回転窓１において、
前記回転軸２ａを中心に前記障子３を所望の角度だけ回動させる回動手段（例えば、ボールチェーン６、回動軸６ｂ、回動部７、連結板８等）を備え、
前記障子３は、透光性を有する矩形のパネル（例えば、複層ガラス４）と、このパネル（例えば、複層ガラス４）の前記回転軸２ａに直交する両端部のみをそれぞれ保持する一対の保持材５ａ，５ｂ（図３参照）と、を有することを特徴としている。
ここで、回転軸２ａは、窓枠２を形成する縦枠又は横枠に平行な軸である。
【０００７】
請求項１に記載の発明によれば、窓枠２に回転軸２ａを介して支持された障子３を回動手段（例えば、ボールチェーン６、回動軸６ｂ、回動部７、連結板８等）によって所望の角度だけ回動させることで室内と屋外とを連通させることができ、換気を行うことができる。また、パネル（例えば、複層ガラス４）は、透光性を有する上にその両端部のみ一対の保持材５ａ，５ｂ（図３参照）によって保持されているため、障子枠を用いる場合に比してパネル（例えば、複層ガラス４）の面積が大きくなり、室内への採光性を向上させることができる。
【０００８】
請求項２に記載の発明は、請求項１に記載の回転窓において、例えば図１に示すように、前記パネルは、一対のガラスを離間させた状態で対向させた複層ガラス４であることを特徴としている。
【０００９】
請求項２に記載の発明によれば、パネルは一対のガラスを離間させた状態で対向させた複層ガラス４のため、障子３の強度及び遮音性を高めることができる。
【００１０】
請求項３に記載の発明は、請求項２に記載の回転窓において、例えば図１に示すように、前記複層ガラス４の室内側のガラス４ａ及び屋外側のガラス４ｂは、前記回転軸２ａと直交する方向にずらした状態で前記保持材５ａ，５ｂ（図３参照）に固定されており、
前記窓枠２には、閉窓時において前記室内側のガラス４ａ及び屋外側のガラス４ｂの両端部にそれぞれ当接する気密材９ａ，９ｂ，９ｃ，９ｄが設けられていることを特徴としている。
【００１１】
請求項３に記載の発明によれば、室内側のガラス４ａ及び屋外側のガラス４ｂは回転軸２ａと直交する方向にずれて固定されており、窓枠２には、閉窓時において室内側のガラス４ａ及び屋外側のガラス４ｂの両端部それぞれに当接する気密材９ａ，９ｂ，９ｃ，９ｄが設けられているため、回転窓１の気密性を向上させることができる。
【００１２】
請求項４に記載の発明は、請求項１〜３のいずれか一項に記載の回転窓において、例えば図１に示すように、前記回転軸２ａは前記窓枠２の中心から偏心して設けられ、
前記窓枠２の室内側には開窓時において前記障子３と接触しない位置に網戸１０が設けられていることを特徴としている。
【００１３】
請求項４に記載の発明によれば、回転軸２ａは窓枠２の中心から偏心して設けられているため、室内側の網戸１０をより回転窓１に近接させて設けることができる。よって、室内空間を広くすることができる。
【００１４】
請求項５に記載の発明は、請求項１〜４のいずれか一項に記載の回転窓において、例えば図１及び３で示すように、前記回動手段は、窓枠２の縦枠に取り付けられた操作部（例えば、ボールチェーン６、ハンドル１６）と、
この操作部（例えば、ボールチェーン６、ハンドル１６）と前記障子３とを連結し、かつ前記操作部（例えば、ボールチェーン６、ハンドル１６）を操作することにより、前記障子３を前記回転軸２ａを中心に回動させる連結回動手段（例えば、回動軸６ｂ、回動部７、連結板８等）と、を備えていることを特徴としている。
【００１５】
請求項５の発明によれば、回動手段は、窓枠２の縦枠に取り付けられた操作部（例えば、ボールチェーン６、ハンドル１６）と、この操作部（例えば、ボールチェーン６、ハンドル１６）と前記障子３とを連結し、かつ前記操作部（例えば、ボールチェーン６、ハンドル１６）を操作することにより、前記障子３を前記回転軸２ａを中心に回動させる連結回動手段（例えば、回動軸６ｂ、回動部７、連結板８等）と、を備えているため、障子３に直接触れることなく障子３を回動させることができる。
【００１６】
請求項５に記載の発明は、請求項１〜４のいずれか一項に記載の回転窓の設置構造において、例えば図３に示すように、前記回転窓１は、前記壁面Ｗの高所及び低所にそれぞれ設けられていることを特徴としている。
【００１７】
請求項５に記載の発明によれば、室内で温められた空気が壁面Ｗの高所に設けられた回転窓１から屋外へと出され、屋外の新鮮な空気が壁面Ｗの低所に設けられた回転窓１から室内へと入り込むため、空気の対流を発生させることができ、室内を換気することができる。
【発明の効果】
【００１８】
本発明によれば、障子を回動手段によって所望の角度だけ回動させることで室内と屋外とを連通させることができ、換気を行うことができる。また、パネルはその両端部のみ一対の保持材によって保持されているため、室内への採光性を向上させることができる。
【発明を実施するための最良の形態】
【００１９】
以下、図を参照して本発明を実施するための最良の形態を詳細に説明する。
図３は、回転窓１が設けられた建物の壁面Ｗを示すものである。これらの回転窓１は、矩形横長の形状をしており、壁面Ｗの高所及び低所に３つずつ連続に設けられている。また、図１に示すように、これらの回転窓１は、壁面Ｗに設けられた矩形の窓枠２と、この窓枠２に回転軸２ａを介して支持された障子３と、を備えている。
【００２０】
図１及び３に示すように、壁面Ｗに設けられた窓枠２は、室内側に露出した室内窓枠材２ｂと、屋外側に露出した屋外窓枠材２ｃと、を備え、室内窓枠材２ｂは樹脂等から成形され、屋外窓枠材２ｃはアルミ等の金属から成形されている。
【００２１】
図１に示すように、回転軸２ａは、窓枠２を形成する縦材の内側に、これら縦材の中心から上方に偏心して設けられており、後述する障子３を所定角度まで回動可能に支持している。
【００２２】
図１及び３に示すように、障子３は、矩形の室内側のガラス４ａ及び屋外側のガラス４ｂからなる複層ガラス４と、この複層ガラス４の左右両端部をそれぞれ保持する保持材５ａ，５ｂと、を備えている。また、室内側のガラス４ａ及び屋外側のガラス４ｂは、離間した状態で対向しているとともに、鉛直方向にずれた状態で保持材５ａ，５ｂに保持されている。
【００２３】
保持材５ａ，５ｂは、室内側のガラス４ａ及び屋外側のガラス４ｂの左右両端面と左右両端部の屋外側の表面とに当接した状態で、複層ガラス４を保持している。また、保持材５ａには、室内側に突出した突出部５ｃが形成されており、この突出部５ｃの先端部には連結ピン７ｄを介して後述する連結板８が連結されている。
【００２４】
図１に示すように、窓枠２には、閉窓時において室内側のガラス４ａ及び屋外側のガラス４ｂの上下両端部が当接する気密材９ａ，９ｂ，９ｃ，９ｄが設けられている。さらに詳しくは、室内窓枠材２ｂの上部には室内側のガラス４ａの上端部に当接する気密材９ａが設けられ、下部には室内側のガラス４ａの下端部に当接する気密材９ｃが設けられ、屋外窓枠材２ｃの上部には屋外側のガラス４ｂの上端部に当接する気密材９ｂが設けられ、下部には屋外側のガラス４ｂの下端部に当接する気密材９ｄが設けられている。また、気密材９ａ，９ｃは閉窓時において各ガラスの屋外側表面に当接し、気密材９ｂ，９ｄは各ガラスの室内側表面に当接する。なお、気密材９ａ，９ｂ，９ｃ，９ｄは弾性を有する樹脂等から成形されている。
【００２５】
図１及び２に示すように、窓枠２の室内側には、開窓時に障子３と接触しない位置に網戸１０が設けられている。この網戸１０は、矩形の枠体１０ａを備えており、この枠体１０ａが止着材１０ｂによって窓枠２に取り付けられている。
【００２６】
網戸１０の室内側には、回転窓１を開閉するための回動軸６ｂが設けられている。この回動軸６ｂの屋外側には回動部７の第１アーム７ａが係合されており、回動軸６ｂを回転させることによって回動ピン７ｃを中心に回動部７が回転するようになっている。また、回動部７は、先端が複層ガラス４に近接した第２アーム７ｂを備えており、この第２アーム７ｂの先端に連結ピン７ｄを介して連結板８が接続されている。さらに、この連結板８の先端は連結ピン７ｄを介して保持材５ａ，５ｂの突出部５ｃに連結されている。なお、これらの回動軸６ｂ、回動部７及び連結板８は、後述するボールチェーン６又はハンドル１６と、障子３とを連結する連結回動手段を構成している。
【００２７】
また、図３に示すように、壁面Ｗの高所に設置された回転窓１においては、回動軸６ｂの室内側に回動軸６ｂ（図１参照）を回転させるためのボールチェーン６が窓枠２の縦枠に設けられており、壁面Ｗの低所に設置された回転窓１においては、ハンドル１６が設けられている。なお、ボールチェーン６及びハンドル１６と、連結回動手段とは、障子３を回動させる回動手段を構成している。
【００２８】
次に、以上のように構成される回転窓１の開閉方法について説明する。
まず、回転窓１のボールチェーン６又はハンドル１６を適宜方向に回転させる。ボールチェーン６又はハンドル１６が回転すると回動軸６ｂが回転し、回動軸６ｂの屋外側に連結された第１アーム７ａが回動ピン７ｃを中心に回転する。
【００２９】
第１アーム７ａが回転すると、第１アーム７ａに固定された第２アーム７ｂも同じ方向に回転し、連結ピン７ｄを介して第２アーム７ｂに連結された連結板８を引き下げる。このとき連結板８とともに保持材５ａ，５ｂの突出部５ｃが引き下げられ、保持材５ａに保持された複層ガラス４が回転軸２ａを中心に回転し、回転窓１が開かれる。なお、この複層ガラス４は、鉛直方向から４５度まで回転するようになっている。
【００３０】
なお、回転窓１を閉める際は、ボールチェーン６又はハンドル１６を逆回転させる。
【００３１】
以上の実施形態によれば、窓枠２に回転軸２ａを介して支持された障子３を、ボールチェーン６又はハンドル１６を回転させることによって回動軸６ｂ、回動部７及び連結板８を介して所望の角度だけ回動させることで、室内と屋外とを連通させることができ、換気を行うことができる。また、複層ガラス４は、透光性を有する上にその両端部のみ一対の保持材５ａ，５ｂによって保持されているため、障子枠を用いる場合に比して複層ガラス４の面積が大きくなり、室内への採光性を向上させることができる。
【００３２】
また、パネルは一対のガラスを離間させた状態で対向させた複層ガラス４のため、障子３の強度及び遮音性を高めることができる。さらに、室内側のガラス４ａ及び屋外側のガラス４ｂは回転軸２ａと直交する方向にずれて保持されており、窓枠２には、閉窓時において室内側のガラス４ａ及び屋外側のガラス４ｂの両端部それぞれに当接する気密材９ａ，９ｂ，９ｃ，９ｄが設けられているため、回転窓１の気密性を向上させることができる。
【００３３】
また、回転軸２ａは窓枠２の中心から偏心して設けられているため、室内側の網戸１０をより回転窓１に近接させて設けることができる。よって、室内空間を広くすることができる。また、網戸１０は止着材１０ｂによって窓枠２に取り付けられているため、取り外しが容易である。
【００３４】
さらに、障子３は、窓枠２の縦枠に取り付けられたボールチェーン６もしくはハンドル１６と、これらと障子３とを連結し、かつボールチェーン６もしくはハンドル１６を操作することにより、前記障子３を回転軸２ａを中心に回動させる回動軸６ｂ、回動部７及び連結板８からなる連結回動手段と、を備えているため、障子３に直接触れることなく障子３を回動させることができる。また、障子３はボールチェーン６又はハンドル１６によって操作されるため、回転窓１が設置される位置に関わらず、該回転窓１を容易に開閉することが可能である。
【００３５】
また、室内で温められた空気が壁面Ｗの高所に設けられた回転窓１から屋外へと出され、屋外の新鮮な空気が壁面Ｗの低所に設けられた回転窓１から室内へと入り込むため、空気の対流を発生させることができ、室内を換気することができる。
【００３６】
なお、以上の実施形態においては、回転窓１を横長の形状としたが、本発明はこれに限定されるものではなく、縦長の形状でもよい。また、回転軸２ａに関しても、窓枠２の横枠に平行な水平軸ではなく、縦枠に平行な垂直軸でもよい。
【図面の簡単な説明】
【００３７】
【図１】本発明に係る回転窓の構成を示す横断面図である。
【図２】本発明に係る回転窓の構成を示す部分断面図である。
【図３】本発明に係る回転窓を備える室内の斜視図である。
【符号の説明】
【００３８】
１  回転窓
２  窓枠
２ａ  回転軸
３  障子
４  複層ガラス
４ａ  室内側のガラス
４ｂ  屋外側のガラス
５ａ，５ｂ  保持材
６  ボールチェーン
７  回動部
８  連結板
９ａ〜９ｄ  気密材
１０  網戸
１６  ハンドル
Ｗ  壁面
【図１】
2006348693.tif 000003
【図２】
2006348693.tif 000004
【図３】
2006348693.tif 000005